(57)【要約】      （修正有）【課題】使用した後に、水路の中に薬液が多少残留するので、次回混合液洗浄モデルを再起動する時に、残留した薬液が新しい混合液の中に混入して水路を汚染しない下半身を洗浄する洗浄装置の提供。【解決手段】伸縮管２０を含み、伸縮管に第一洗浄口２１が設置され、さらに水流分配バルブ３０、溶液カップ４０、水ポンプ５０、及び水ポンプ５０と伸縮管の間の接続可能な第一T字型継手７０を含み、水流分配バルブは給水口、給水口と接続できる第一排水口及び給水口と接続できる第二排水口を含み、前記水流分配バルブは第一排水口、第二排水口から水が出るかどうかを制御することができ、第一排水口、溶液カップと水ポンプは水流の方向に沿って順次に接続され、第一T字型継手の三つの継手はそれぞれ水ポンプ、伸縮管の第一洗浄口と水流分配バルブの第二排水口２２と接続されている。洗浄装置は少なくとも溶液洗浄モデル、自浄モデルと清水洗浄モデルを含む。【選択図】図１
2017190665.tif 000002
【特許請求の範囲】
【請求項１】
伸縮管を含み、前記伸縮管に第一洗浄口が設置されている知能型便蓋の洗浄装置であって、さらに水流分配バルブ、溶液カップ、水ポンプ、及び水ポンプと伸縮管の間の接続可能な第一T字型継手を含み、前記水流分配バルブは給水口、給水口と接続できる第一排水口及び給水口と接続できる第二排水口を含み、前記水流分配バルブは第一排水口、第二排水口から水が出るかどうかを制御することができ、前記第一排水口、溶液カップと水ポンプは水流の方向に沿って順次に接続され、前記第一T字型継手の三つの継手はそれぞれ水ポンプ、伸縮管の第一洗浄口と水流分配バルブの第二排水口と接続されていることを特徴とする知能型便蓋の洗浄装置。
【請求項２】
第一排水口から水が出るかどうかを制御することによって前記洗浄装置が溶液洗浄モデルであるかあるいは自浄モデルであるかを制御し、前記溶液洗浄モデルは、伸縮管を出し、水流分配バルブで第一排水口を閉め、水ポンプを開け、溶液カップ中の溶液は水ポンプに引っ張られて第一洗浄口から噴出するモデルであり、前記自浄モデルは、水流分配バルブで第一排水口を開け、水ポンプを開け、水ポンプに引っ張られて清水は第一排水口から溶液カップを流れて第一洗浄口から噴出するモデルであることを特徴とする請求項１に記載の知能型便蓋の洗浄装置。
【請求項３】
前記自浄モデルでは、伸縮管が引っ込められていることを特徴とする請求項２に記載の知能型便蓋の洗浄装置。
【請求項４】
前記洗浄装置はさらに清水洗浄モデルを含み、前記清水洗浄モデルは、伸縮管を出し、水流分配バルブで第二排水口を開け、清水は第一Ｔ字型継手を流れて第一洗浄口から噴出するモデルであることを特徴とする請求項１に記載の知能型便蓋の洗浄装置。
【請求項５】
前記洗浄装置はさらに混合液洗浄モデルを含み、前記混合液洗浄モデルは、水流分配バルブで第一排水口を閉め、伸縮管を出し、水ポンプを開け、溶液カップ中の溶液は水ポンプに引っ張られて第一Ｔ字型継手に入り、水流分配バルブによって第二排水口を開け、清水は第一Ｔ字型継手に入った後に溶液と混合して第一洗浄口から噴出するモデルであることを特徴とする請求項４に記載の知能型便蓋の洗浄装置。
【請求項６】
さらに水ポンプと第一Ｔ字型継手の間に接続されている水路中の水流情報を測定する水流センサーを含み、前記水流センサーは水ポンプと相互接続していることで、水流センサーは水流の情報が事前に設定した条件に満足することを検出すると、水ポンプを閉めることを特徴とする請求項１に記載の知能型便蓋の洗浄装置。
【請求項７】
さらに水流センサーと第一Ｔ字型継手の間に接続されている単方向バルブを含むことを特徴とする請求項１から６のいずれか一つに記載の知能型便蓋の洗浄装置。
【請求項８】
前記溶液カップはカップ及びカップの底部に接続されている第二Ｔ字型継手を含み、カップの底部に出液口が設けられ、第二Ｔ字型継手の三つの継手はそれぞれカップの出液口、水流分配バルブの第一排水口及び水ポンプと接続されていることを特徴とする請求項１に記載の知能型便蓋の洗浄装置。
【請求項９】
前記水流分配バルブはさらに給水口と接続できる第三排水口を含み、且つ第三排水口の開閉を制御することができ、前記伸縮管は伸縮自由で固定棚に設置され、固定棚には流水通路が設けられ、第三排水口は流水通路と接続し、水流分配バルブで第三排水口を開け、清水は流水通路から流れ、伸縮管が伸縮動作を行う時に伸縮管の外表面を洗浄することを特徴とする請求項１に記載の知能型便蓋の洗浄装置。
【請求項１０】
前記流水通路はアーク状で伸縮管の外表面に取り巻かれ、前記流水通路は固定棚の前端に設置されることを特徴とする請求項９に記載の知能型便蓋の洗浄装置。
【請求項１１】
水流分配バルブはさらに第四排水口を含み、且つ第四排水口の開閉を制御することができ、伸縮管に第二洗浄口が設けられ、水流分配バルブの第四排水口は伸縮管の第二洗浄口と接続され、前記洗浄装置は簡易洗浄モデルを含み、前記簡易洗浄モデルは、伸縮管を出し、水流分配バルブで第四排水口を開け、清水が第二清浄口から噴出するモデルであることを特徴とする請求項１から６のいずれか一つに記載の知能型便蓋の洗浄装置。
【発明の詳細な説明】
【技術分野】
【０００１】
本発明は知能型便蓋の洗浄装置に関する。
【背景技術】
【０００２】
人体の下半身を洗浄する洗浄装置は通常清水洗浄モデルや混合液洗浄モデルを備える。清水洗浄モデルは直接清水を利用して下半身を洗浄することであり、混合液洗浄モデルは薬液と清水を一定の比率によって混合して下半身を洗浄することである。混合液洗浄モデルでは、使用した後に、水路の中に薬液が多少残留するので、次回混合液洗浄モデルを再起動する時に、残留した薬液は新しい混合液の中に混入して水路を汚染し、使用する際の衛生に影響を与える。そのため、現有の清浄装置には衛生の問題が存在している。
【発明の概要】
【発明が解決しようとする課題】
【０００３】
本発明は従来技術における不足を克服するために、知能型便蓋の洗浄装置を提供する。
【課題を解決するための手段】
【０００４】
本発明が技術問題を解決するために、使用する技術案は、知能型便蓋の洗浄装置であって、伸縮管を含み、前記伸縮管に第一洗浄口が設置され、さらに水流分配バルブ、溶液カップ、水ポンプ、及び水ポンプと伸縮管の間の接続可能な第一T字型継手を含み、前記水流分配バルブは給水口、給水口と接続できる第一排水口及び給水口と接続できる第二排水口を含み、前記水流分配バルブは第一排水口、第二排水口から水が出るかどうかを制御することができ、前記第一排水口、溶液カップと水ポンプは水流の方向に沿って順次に接続され、前記第一Ｔ字型継手の三つの継手はそれぞれ水ポンプ、伸縮管の第一洗浄口と水流分配バルブの第二排水口と接続されている。
【０００５】
好ましい実施形態において、第一排水口から水が出るかどうかを制御することによって前記洗浄装置が溶液洗浄モデルであるかあるいは自浄モデルであるかを制御し、前記溶液洗浄モデルは、伸縮管を出し、水流分配バルブで第一排水口を閉め、水ポンプを開け、溶液カップ中の溶液は水ポンプに引っ張られて第一洗浄口から噴出するモデルであり、前記自浄モデルは、水流分配バルブで第一排水口を開け、水ポンプを開け、水ポンプに引っ張られて清水は第一排水口から溶液カップを流れて第一洗浄口から噴出するモデルである。
【０００６】
好ましい実施形態において、前記自浄モデルでは、伸縮管は引っ込められる。
【０００７】
好ましい実施形態において、前記洗浄装置はさらに清水洗浄モデルを含み、前記清水洗浄モデルは伸縮管を出し、水流分配バルブで第二排水口を開け、清水は第一Ｔ字型継手を流れて第一洗浄口から噴出するモデルである。
【０００８】
好ましい実施形態において、前記洗浄装置はさらに混合液洗浄モデルを含み、前記混合液洗浄モデルは、水流分配バルブで第一排水口を閉め、伸縮管を出し、水ポンプを開け、溶液カップ中の溶液は水ポンプに引っ張られて第一Ｔ字型継手に入り、水流分配バルブで第二排水口が開けられ、清水は第一Ｔ字型継手に入った後に溶液と混合して第一洗浄口から噴出するモデルである。
【０００９】
好ましい実施形態において、さらに水ポンプと第一Ｔ字型継手の間に接続されている水路中の水流情報を測定する水流センサーを含み、前記水流センサーは水ポンプと相互接続されていることで、水流センサーは水流の情報が事前に設定した条件に満足することを検出すると、水ポンプを閉める。
【００１０】
好ましい実施形態において、さらに水流センサーと第一Ｔ字型継手の間に接続されている単方向バルブを含む。
【００１１】
好ましい実施形態において、前記溶液カップはカップ及びカップの底部に接続されている第二Ｔ字型継手を含み、カップの底部に出液口が設けられ、第二Ｔ字型継手の三つの継手はそれぞれカップの出液口、水流分配バルブの第一排水口及び水ポンプと接続されている。
【００１２】
好ましい実施形態において、前記水流分配バルブはさらに給水口と接続できる第三排水口を含み、且つ第三排水口の開閉を制御することができ、前記伸縮管は伸縮自由で固定棚に設置され、固定棚には流水通路が設けられ、第三排水口は流水通路と接続され、水流分配バルブで第三排水口を開け、清水は流水通路から流れ、伸縮管が伸縮動作を行う時に伸縮管の外表面を洗浄する。
【００１３】
好ましい実施形態において、前記流水通路はアーク状で伸縮管の外表面に取り巻かれ、前記流水通路は固定棚の前端に設置される。
【００１４】
好ましい実施形態において、水流分配バルブはさらに第四排水口を含み、且つ第四排水口の開閉を制御することができ、伸縮管に第二洗浄口が設けられ、水流分配バルブの第四排水口は伸縮管の第二洗浄口と接続され、前記洗浄装置は簡易洗浄モデルを含み、前記簡易洗浄モデルは、伸縮管を出し、水流分配バルブで第四排水口を開け、清水が第二清浄口から噴出するモデルである。
【発明の効果】
【００１５】
従来技術と比べて、本発明の有益な効果は、
１、溶解カップの上流は水流分配バルブの第一排水口と接続され、洗浄作業が終わった後、第一排水口と水ポンプを開き、清水は溶解カップと水ポンプを流れて第一洗浄口から噴出して水路中に残留する溶液を除き、水路の洗浄作用を達成して洗浄装置の衛生状況を向上させることができる。水流分配バルブで第一排水口を閉めて第二排水口を開き、清水は第一洗浄口から噴出し、清水による洗浄が実現でき、機能が多様である。
【００１６】
２、水流センサーで検出した情報が事前に設定した条件に満足し、もし水流の情報が検出できないならば、水ポンプの作業を停止し、水ポンプの空回転を防止することができる。
【００１７】
水流分配ポンプで第一排水口を閉めて第二排水口を開けることで、清水は第一洗浄口から噴出して清水の洗浄機能を実現し、機能が多様である。この時、例え水ポンプを開け、溶液カップ中の溶液は水ポンプに引っ張られてＴ字型継手に入って清水と混合すると、混合液の洗浄が実現でき、機能が一層豊富になる。
【００１８】
４、単方向バルブで清水が逆方向に向いて、水流センサーに流れて水流センサーの正確性を影響することを防止することができる。
【図面の簡単な説明】
【００１９】
以下、図面と実施例を組合せて本発明の更なる説明を行う。
【００２０】
【図１】図１は本発明の知能型便蓋の洗浄装置を示す図である。
【発明を実施するための形態】
【００２１】
図１を参照して見ると、本発明の知能型便蓋の洗浄装置は制御機１０、伸縮管２０、水流分配バルブ３０、溶解カップ４０、水ポンプ５０を含む。伸縮管２０に第一洗浄口２１が設けられる。水流分配バルブ３０には給水口３８及び給水口と接続できる第一排水口３１を含み、且つ第一排水口の開閉を制御することができる。前記第一排水口３１、溶解カップ４０、水ポンプ５０、伸縮管の第一洗浄口２１は水流の方向に沿って順次に接続されている。前記制御機１０は伸縮管２０と接続されているかつ伸縮管の伸縮作業を制御することができる。前記制御機１０は水流分配バルブ３０と接続され、かつ水流分配バルブを制御して第一排水口３１を開閉する。前記制御機１０は水ポンプ５０と接続され、水ポンプの起動停止を制御する。前記洗浄装置は溶液洗浄モデルと自浄モデルを含み、溶液洗浄モデルを起動する時に、伸縮管２０を出し、水流分配バルブで第一排水口３１を閉め、水ポンプ５０を開け、溶液カップ４０中の溶液は水ポンプに引っ張られて第一洗浄口２１から噴出する。自浄モデルである場合、水流分配バルブ３０で第一排水口３１を開け、水ポンプ５０を開け、水ポンプに引っ張られて清水は溶液カップ４０を流れて第一洗浄口２１から噴出する。前記自浄モデルでは、伸縮管２０は引っ込めることが望ましい。
【００２２】
知能型便蓋の洗浄装置は水ポンプ５０と伸縮管２０の間に接続されている、水路中の水流情報を測定する水流センサー６０を含む。前記制御機１０は水流センサー６０と接続されている。溶液洗浄モデルと自浄モデルでは、水流センサー６０が長時間水流の情報を検出できなければ、制御機１０は水ポンプ５０を閉める。
【００２３】
知能型便蓋の洗浄装置はさらに水流センサー６０と伸縮管２０の間に接続されているＴ字型継手７０を含む。前記水流分配バルブ３０はさらに給水口と接続できる第二排水口３２を含み、且つ第二排水口３２の開閉を制御することができる。Ｔ字型継手７０の三つの継手はそれぞれ水流センサー６０、伸縮管第一洗浄口２１、水流分配バルブの第二排水口３２と接続されている。前記洗浄装置は清水洗浄モデルを含み、清水洗浄モデルを起動する時に、伸縮管２０を出し、水流分配バルブ３０で第一排水口３１を閉めて第二排水口３２を開け、清水は第一Ｔ字型継手を流れて第一洗浄口２１から噴出する。前記洗浄装置は混合液洗浄モデルを含み、混合液洗浄モデルを起動する場合、水流分配バルブで第一排水口３１を閉め、伸縮管２０を出し、水ポンプ５０を開け、溶液カップ４０中の溶液は水ポンプ５０に引っ張られて第一Ｔ字型継手７０に入り、水流分配バルブで第二排水口３２を開け、清水は第一Ｔ字型継手７０に入れた後に溶液と混合して第一洗浄口２１から噴出する。
【００２４】
知能型便蓋の洗浄装置はさらに水流センサー６０と第一Ｔ字型継手７０の間に接続されている単方向バルブ８０を含む。
【００２５】
前記溶液カップ４０はカップ本体４２及びカップの底部に接続されている第二Ｔ字型継手４４を含み、カップ４２の底部に出液口が設けられ、第二Ｔ字型継手４４の三つの継手はそれぞれカップの出液口、水流分配バルブの第一排水口３１及び水ポンプ５０と接続されている。
【００２６】
知能型便蓋の洗浄装置はさらに固定棚９０を含み、前記伸縮管２０は伸縮自由で固定棚９０に設置され、固定棚には流水通路が設けられる。水流分配バルブ３０はさらに給水口と接続できる第三排水口３３を含み、且つ第三排水口の開閉を制御することができ、第三排水口３３は流水通路と接続されている。伸縮管２０が伸縮動作を行う時に、水流分配バルブ３０で第三排水口３３を開け、清水は流水通路から流れて伸縮管２０の外表面を洗浄する。前記流水通路はアーク状で伸縮管の外表面に取り巻かれ、前記流水通路は固定棚９０の前端に設置される。
【００２７】
水流分配バルブ３０はさらに給水口と接続できる第四排水口３４を含み、且つ第四排水口の開閉を制御することができる。伸縮管２０に第二洗浄口２２が設けられる。水流分配バルブの第四排水口３４は伸縮管の第二洗浄口２２と接続されている。前記洗浄装置は簡易洗浄モデルを含み、簡易洗浄モデルを起動する時、伸縮管２０を出し、水流分配バルブで第四排水口３４を開け、清水が第二清浄口２２から噴出する。
【００２８】
前記実施例は本発明の一歩進んだ説明であり、本発明の実施例に限定されるものではなく，当業者が、本発明の技術実質に基づき、前記実施例に対するいかなる簡単な修正、類似変化及び修飾も本発明技術案の保護範囲に属する。
【図１】
2017190665.tif 000003